(57)【特許請求の範囲】
【請求項１】
上向きに傾斜させて高所にかけ渡した構造物架構の下面を点検及び／又は補修するために、該構造物架構の下方に設けられ、長さ方向に分割され、しかも幅方向の両端部に手摺りを備えた分割足場を複数連接して配置された点検及び補修用足場を構築する方法であって、
前記分割足場が順次取り込まれる足場取り込み用架台を設置し、該足場取り込み用架台と所定の間隔を開けて足場取付用架台を設置する第１工程と、
対向する前記足場取り込み用架台と前記足場取付用架台との間に、複数本のワイヤロープを所定の平行間隔を開けて設ける第２工程と、
前記足場取り込み用架台から、前記ワイヤロープ上に前記分割足場を載せ、該ワイヤーロープに締結用のベースキャリアを仮締結すると共に、該ベースキャリアに、所定のピッチで取付けられた足場吊り材を備えた前記分割足場を固定する第３工程と、
前記分割足場を前記ワイヤロープに沿って前記足場取付用架台側に移動し、該分割足場に隣接する分割足場を前記第３工程により前記ワイヤロープに仮置きした後、前記分割足場同士を固定する第４工程と、
前記第４工程を繰り返して、前記足場取り込み用架台と前記足場取付用架台との間に、前記点検及び補修用足場を仮設する第５工程と、
前記構造物架構に前記足場吊り材の上端部を固定する第６工程とを有することを特徴とする高所にかけ渡した構造物架構下面の点検及び補修用足場の構築方法。
【請求項２】
請求項１記載の高所にかけ渡した構造物架構下面の点検及び補修用足場の構築方法において、前記分割足場は、前記ワイヤロープ直上に該ワイヤロープに直交して所定の平行間隔を開けて配置された複数の鋼管を備え、該複数の鋼管上に直交し、しかも、前記分割足場の幅方向に分割された複数の足場材を備えたことを特徴とする高所にかけ渡した構造物架構下面の点検及び補修用足場の構築方法。
【請求項３】
請求項２記載の高所にかけ渡した構造物架構下面の点検及び補修用足場の構築方法において、前記ベースキャリアは、上部で前記鋼管を固定でき、下部には前記ワイヤロープ上を転動する転動ローラーを備えていることを特徴とする高所にかけ渡した構造物架構下面の点検及び補修用足場の構築方法。
【請求項４】
請求項２又は３記載の高所にかけ渡した構造物架構下面の点検及び補修用足場の構築方法において、隣接する前記分割足場同士は、隣接する端部の前記鋼管の両端部にそれぞれ、該鋼管に直交する連結用パイプを渡してパイプクランプを介して固定することを特徴とする高所にかけ渡した構造物架構下面の点検及び補修用足場の構築方法。
【発明の詳細な説明】
【０００１】
【発明の属する技術分野】
本発明は、例えば、高所にかけ渡した構造物架構の一例である高炉の原料装入用の装入ベルトコンベア架構の架構下面を点検及び／又は補修するために構築する点検及び補修用足場の構築方法に関する。
【０００２】
【従来の技術】
高炉の原料装入用の装入ベルトコンベアの架構等は高所（地上３０〜７０ｍ）に位置し、架構を支持する支持スパンが非常に長い（３０〜６０ｍ）。この架構は高所で空中渡しをしているため、架構下面の点検や塗装、フレームの補修作業には、架構床面を適当な間隔で開孔し、この開孔部分から吊り足場や防護ネットを施工して、点検及び補修用の足場を構築している。
【０００３】
【発明が解決しようとする課題】
しかしながら、前記従来の高所にかけ渡した構造物架構下面の点検及び補修用足場構築方法においては、未だ解決すべき以下のような問題があった。
この足場を構築する作業は、高所作業であるため、極めて危険性の高い作業であり、且つ、工事工数を多く要する極めて非効率な工事であった。
【０００４】
本発明はこのような事情に鑑みてなされたもので、安全で、しかも短期間で点検及び補修用の足場の構築が可能な高所にかけ渡した構造物架構下面の点検及び補修用足場構築方法を提供することを目的とする。
【０００５】
【課題を解決するための手段】
前記目的に沿う本発明に係る高所にかけ渡した構造物架構下面の点検及び補修用足場の構築方法は、上向きに傾斜させて高所にかけ渡した構造物架構の下面を点検及び／又は補修するために、構造物架構の下方に設けられ、長さ方向に分割され、しかも幅方向の両端部に手摺りを備えた分割足場を複数連接して配置された点検及び補修用足場を構築する方法であって、分割足場が順次取り込まれる足場取り込み用架台を設置し、足場取り込み用架台と所定の間隔を開けて足場取付用架台を設置する第１工程と、対向する足場取り込み用架台と足場取付用架台との間に、複数本のワイヤロープを所定の平行間隔を開けて設ける第２工程と、足場取り込み用架台から、ワイヤロープ上に分割足場を載せ、ワイヤーロープに締結用のベースキャリアを仮締結すると共に、ベースキャリアに、所定のピッチで取付けられた足場吊り材を備えた分割足場を固定する第３工程と、分割足場をワイヤロープに沿って足場取付用架台側に移動し、この分割足場に隣接する分割足場を第３工程によりワイヤロープに仮置きした後、分割足場同士を固定する第４工程と、第４工程を繰り返して、足場取り込み用架台と足場取付用架台との間に、点検及び補修用足場を仮設する第５工程と、構造物架構に足場吊り材の上端部を固定する第６工程とを有している。これによって、複数連接して配置された分割足場を順次、確実、かつ安全に連結、移動させて点検及び補修用足場を仮設でき、しかも、足場吊り材を介して点検及び補修用足場を構造物架構に固定することができる。
【０００６】
本発明に係る高所にかけ渡した構造物架構下面の点検及び補修用足場の構築方法において、分割足場は、ワイヤロープ直上にワイヤロープに直交して所定の平行間隔を開けて配置された複数の鋼管を備え、複数の鋼管上に直交し、しかも、分割足場の幅方向に分割された複数の足場材を備えることもできる。これによって、分割足場の組み立てが簡単にできる。
本発明に係る高所にかけ渡した構造物架構下面の点検及び補修用足場の構築方法において、ベースキャリアは、上部で鋼管を固定でき、下部にはワイヤロープ上を転動する転動ローラーを備えることもできる。これによって、ベースキャリアの鋼管への固定及びワイヤロープへの装着が容易となると共に、分割足場の移動が安全、確実に行える。
本発明に係る高所にかけ渡した構造物架構下面の点検及び補修用足場の構築方法において、隣接する分割足場同士は、隣接する端部の鋼管の両端部にそれぞれ、鋼管に直交する連結用パイプを渡してパイプクランプを介して固定することもできる。これによって、分割足場同士を簡単な手段で、容易に固定することができる。
【０００７】
【発明の実施の形態】
続いて、添付した図面を参照しつつ、本発明を具体化した実施の形態につき説明し、本発明の理解に供する。
ここに、図１は本発明の一実施の形態に係る高所にかけ渡した構造物架構下面の点検及び補修用足場の構築方法を適用した足場の正面図、図２は同足場の要部拡大斜視図、図３は同足場の足場取付用架台への滑車の取付けを示す説明図、図４は図２の矢視Ａ−Ａ断面図、図５は同足場のベースキャリアの斜視図、図６は同足場のベースキャリアの正面図、図７は同足場のベースキャリアの側面図、図８は同足場の足場取り込み用架台及び足場取付用架台の設置を示す説明図、図９は同足場の足場取り込み用架台と足場取付用架台との間にワイヤロープのかけ渡しを示す説明図、図１０は同足場の分割足場の足場取付用架台側への移動を示す説明図、図１１は本発明の一実施の形態に係る高所にかけ渡した構造物架構下面の点検及び補修用足場の構築方法における最終状態を示す説明図である。
【０００８】
図１及び図８〜図１１に示すように、本発明の一実施の形態に係る高所にかけ渡した構造物架構下面の点検及び補修用足場の構築方法を適用した足場１０、１０ａ、１０ｂ（それぞれ、Ａ、Ｂ、Ｃブロックに相当する位置に設けられている）は、高所にかけ渡した構造物架構の一例である、高炉の装入ベルトコンベア１１用の装入ベルトコンベア架構（以下、単に架構と呼ぶ）１２の下面１５を点検及び／又は補修するために構築されるものである。下流側に沿って上向きに傾斜した架構１２の下流側端部１２ａは、高炉側の取付架台１３に設けられており、一方、上流側端部１２ｂは、反高炉側の取付架台１４に設けられている。以下、これらについて詳しく説明する。なお、足場１０ａ及び１０ｂは、足場１０と実質的に同じであるので、主として足場１０について説明する。
【０００９】
図２及び図１１に示すように、足場１０は、ＡブロックとＢブロックとの境界部の架構１２の下面１５に取付けられた足場取付用架台１６と、取付架台１４を介して設けられた足場取り込み用架台の一例である張出デッキ１７との間に取付けられている。
図２及び図１１に示すように、架構１２においては、幅方向に平行間隔Ｌを設けて、上下にＨ形鋼１８〜２１が配置されており、上側のＨ形鋼１８、１９と下側のＨ形鋼２０、２１間にはそれぞれ、形鋼からなる垂直連結部材２２、２３が長手方向に所定のピッチで設けられている。また、下側のＨ形鋼２０、２１間には形鋼からなる水平連結部材２４が長手方向に所定のピッチで設けられており、Ｈ形鋼２０、２１間の水平連結部材２４上には、Ｈ形鋼２０、２１と平行に溝形鋼からなる水平補強部材２５、２６が設けられている。さらに、上側のＨ形鋼１８、１９と下側のＨ形鋼２０、２１間で、しかも、隣り合う垂直連結部材２２、２３間にはそれぞれ、斜め補強部材２７、２８が設けられている。
【００１０】
図２に示すように、足場取付用架台１６は架構１２の下側のＨ形鋼２０、２１の下面１５にそれぞれ、矩形状の当接板２９、３０を介して、垂直連結部材２２、２３の真下に設けられた垂直部材３１、３２と、垂直部材３１、３２の下端を連結する水平連結部材３３とを有している。水平連結部材３３の中間位置には、架構１２の水平連結部材２４の下面１５に当接する矩形状の当接板を介して中間垂直部材３４が設けられている。さらに、垂直部材３１、３２の長さ方向（前後方向）の両側面にはそれぞれ、当接板２９、３０の両側のＨ形鋼２０、２１の下面１５と当接する矩形状の当接板３５、３６を介して、斜め補強部材３７、３８が設けられている。
【００１１】
図２及び図３に示すように、足場取付用架台１６の垂直部材３１（垂直部材３２及び中間垂直部材３４も同じ）の上流側及び下流側の両側面の下端部には、側面視して略矩形状の取付板３９が取付けられており、取付板３９に形成された取付孔にボルト４０により取付けられたシャックル４１、滑車取付輪形金具４２及び滑車取付金具４３を介して滑車４４が取付けられている。３個の滑車４４にそれぞれ巻回されたワイヤロープ４６の両端部はそれぞれ、図９の拡大図で示すように、取付架台１４の張出デッキ１７の上側に固定された取付板４５に接続金具を介して、また、下側に固定された取付板４５ａに接続金具と手動チェーンブロック６３を介して接続されている。なお、滑車４４を水平に配置したり、又は滑車に２条のロープ溝を形成することによって、１個の滑車につき２本（又はそれ以上の本数）のワイヤロープを通すことができ、この結果ワイヤロープに掛かる荷重を軽減することができる。
【００１２】
図２及び図４に示すように、上側のワイヤロープ４６にベースキャリア４７（図５〜図７を参照）の下部が装着されており、ベースキャリア４７の上部は３条のワイヤロープ４６に直交して所定の間隔Ｐを開けて配置された３本の鋼管４８〜５０（長さは平行間隔Ｌより長い）を固定して設けられている。
図５〜図７に詳細に示すように、ベースキャリア４７は、鋼管等の断面円形の棒状物をボルト、ナットにより固定する固定部４７ａと、固定部４７ａの下部に水平方向に回転可能に取付けられたキャリア部４７ｂとを備えている。固定部４７ａにより鋼管４８〜５０がクランプされており、キャリア部４７ｂに設けられ、断面半円状の溝が形成された２個の転動ローラー５１、５２が上側のワイヤロープ４６上に沿って転動するように構成されている。
【００１３】
図２及び図４に示すように、鋼管４９（４８、５０も同じ）のベースキャリア４７より外側の両端部には、鋼管４９に接し、直交して鋼管からなる足場吊り材５３がクランプジョイント５４を介して取付けられている。足場吊り材５３の上端部は、チャッキクランプ５５を介して架構１２の下側のＨ形鋼２０の下側又は上側のフランジに固定されている。足場１０の幅方向の両側のワイヤロープ４６より内側の鋼管４８、４９、５０上には、長さＨ、幅Ｂを有する長尺状の足場材５６が互いに隣接して配置され、番線等の固定手段により固定されている。足場吊り材５３の内側に接して、架構１２の下側のＨ形鋼２０と鋼管４８、４９、５０との間には、上下２段に取付けられた手摺り用ロープ５７と、落下防止用金網５８が設けられている。
【００１４】
落下防止用金網５８と最外側の足場材５６の幅方向の外側端部上との間には、足場材５６と同じ長さＨの蹴り止め足場材５９が傾斜して設けられている。なお、図２及び図４に示すように、鋼管４８〜５０を含み、鋼管４８〜５０上に取付けられた架構１２の長さ方向の長さＨ分を分割足場６０と呼ぶ。隣接する分割足場６０同士は、図に示すように、隣接する端側（後端側、前端側）の鋼管５０、４８（鋼管５０、４８間の間隔Ｐ）のクランプジョイント５４より外側に連結用パイプの一例であって鋼管からなる連結部材６１が直交して載置され、それぞれの交差部がパイプクランプの一例であるクランプジョイント６２により固定されている。なお、図１に示すように、足場取付用架台１６の下端は、地上６５に支持された中間支柱６６により支持されている。また、手摺りは、手摺り用ロープ５７等を備えている。
【００１５】
次いで、本発明の一実施の形態に係る高所にかけ渡した構造物架構下面の点検及び補修用足場の構築方法を適用した足場１０の形成方法及び点検及び補修方法について、主として図８〜図１１を参照しながら説明する。
（１）図８に示すように、装入ベルトコンベア１１用の架構１２下に所定の間隔を開けて、反高炉側の取付架台１４には張出デッキ１７を、高炉側はＡ、Ｂブロックの境界部に足場取付用架台１６及びこれに隣接したデッキ（図示せず）を取付ける（第１工程）。
（２）図９、図２及び図３に示すように、足場取付用架台１６に３個の滑車４４を滑車取付金具４３、シャックル４１等を介して張出デッキ１７に対向して設置し、手動チェーンブロック６３によりそれぞれのワイヤロープ４６の張り調整を実施する（第２工程）。
【００１６】
（３）図２及び図４に示すように、上流側の張出デッキ１７から、３本の上側のワイヤロープ４６上に、足場材５６等を組み立てながら４ｍの長さＨに形成した分割足場６０を載せ、ワイヤロープ４６に締結用のベースキャリア４７を抱かせて、所定のピッチで取付けられた足場吊り材５３を備えた分割足場６０をワイヤロープ４６に仮締結する（第３工程）。
（４）前記（３）でワイヤロープ４６上に仮締結した分割足場６０を図１０に示すように、手動チェーンブロック６４等で引き上げ、別の新しい隣接する分割足場６０を前記（３）の方法で仮置きし、図２及び図４に示すように、分割足場６０同士を固定する（第４工程）。
（５）前記（４）の作業を繰り返して、図１１に示すように、滑車４４、取付板４５間に分割足場６０（本実施の形態では、６組の分割足場６０）を全面に仮設して、足場取付用架台１６と張出デッキ１７の間に足場１０を仮設する（第５工程）。
【００１７】
（６）その後、図４に示すように、架構１２の下側のＨ形鋼２０、２１に足場吊り材５３をチャッキクランプ５５で固定し、分割足場６０の荷重をワイヤロープ４６から装入ベルトコンベア１１の架構１２に移行させる（第６工程）。
（７）装入ベルトコンベア１１の架構１２の下面１５の点検、補修工事を実施する。
（８）点検、補修工事が完了すれば、逆に前記（６）から（１）の作業を実施して、工事仮設部品（張出デッキ１７、滑車４４、ワイヤロープ４６及びベースキャリア４７等）を撤去する。
【００１８】
なお、図１に示すように、Ａブロックに足場１０が形成された後、Ｂブロックに足場１０ａを形成する場合には、図２に示すように、形成済みの足場１０の高炉側の端部を足場取り込み用架台として用いると共に、ＢブロックとＣブロックとの境界部に足場取付用架台１６を新たに設置して、前記（２）〜（８）を繰り返して行う。
さらに、Ｂブロックに足場１０ａが形成された後、Ｃブロックに足場１０ｂを形成する場合も、Ｃブロックの高炉側端部に足場取付用架台１６ａを新たに設置して、前記（２）〜（８）を繰り返して行う。
【００１９】
前記実施の形態においては、構造物架構を装入ベルトコンベア架構１２としたが、これに限定されず、その他の構造物架構に適用することもできる。足場取付用架台１６には、３個の滑車４４を設けたが、これに限定されず、必要に応じて、２個又は４個以上の滑車を設けることもできる。また、滑車４４を垂直に配置したが、これに限定されず、滑車を水平に配置して２本のワイヤロープに荷重を掛けることもでき、これによって、ワイヤロープに掛かる荷重を小さくすることができ、ワイヤロープ径を小さくして取扱い易くしたり、また、廉価にできる。さらに、状況に応じて、足場取付用架台１６に滑車を設けることなく、足場取付用架台１６と張出デッキ１７との間に複数本のワイヤロープを平行間隔を保持して掛けることもできる。
分割足場６０を複数の足場材５６により足場１０の幅方向に分割したが、これに限定されず、状況に応じて、分割せずに一体物とすることもできる。
ベースキャリア４７は上部で鋼管４８〜５０をクランプでき、下部にはワイヤロープ４６上を転動する転動ローラー５１、５２を備えているが、これに限定されず、分割足場（例えば、一体物の分割足場）を固定でき、しかも、ワイヤロープ４６に対して相対的に移動可能な構造であれば、その他の構造のものでも構わない。
隣接する分割足場６０同士を、隣接する端側の鋼管５０、４８の両端部にそれぞれ、鋼管５０、４８に直交する連結部材６１を渡してクランプジョイント６２を介して固定したが、これに限定されず、その他の方法により固定することもできる。鋼管は３本用いたが、２本又は４本以上も構わない。
【００２０】
【発明の効果】
請求項１〜４記載の高所にかけ渡した構造物架構下面の点検及び補修用足場の構築方法においては、複数の分割足場を順次、確実、かつ安全に連結、移動させて点検及び補修用足場を仮設できるので、高所で安全に作業を行うことができ、しかも、足場吊り材を介して点検及び補修用足場を構造物架構に固定することができるので、極めて安全な足場を形成することができる。
特に、請求項２記載の高所にかけ渡した構造物架構下面の点検及び補修用足場の構築方法においては、分割足場の組み立てが簡単にできるので、短期間で実施でき、作業性が向上する。
請求項３記載の高所にかけ渡した構造物架構下面の点検及び補修用足場の構築方法においては、ベースキャリアの鋼管への固定及びワイヤロープへの装着が容易となるので、作業性が向上すると共に、分割足場の移動が安全、確実に行えるので、安全性も確保できる。
請求項４記載の高所にかけ渡した構造物架構下面の点検及び補修用足場の構築方法においては、分割足場同士を簡単な手段で、容易に固定することができるので、作業性がさらに向上する。
【図面の簡単な説明】
【図１】本発明の一実施の形態に係る高所にかけ渡した構造物架構下面の点検及び補修用足場の構築方法を適用した足場の正面図である。
【図２】同足場の要部拡大斜視図である。
【図３】同足場の足場取付用架台への滑車の取付けを示す説明図である。
【図４】図２の矢視Ａ−Ａ断面図である。
【図５】同足場のベースキャリアの斜視図である。
【図６】同足場のベースキャリアの正面図である。
【図７】同足場のベースキャリアの側面図である。
【図８】同足場の足場取り込み用架台及び足場取付用架台の設置を示す説明図である。
【図９】同足場の足場取り込み用架台と足場取付用架台との間にワイヤロープのかけ渡しを示す説明図である。
【図１０】同足場の分割足場の足場取付用架台側への移動を示す説明図である。
【図１１】本発明の一実施の形態に係る高所にかけ渡した構造物架構下面の点検及び補修用足場の構築方法における最終状態を示す説明図である。
【符号の説明】
１０、１０ａ、１０ｂ：足場、１１：装入ベルトコンベア、１２：装入ベルトコンベア架構（構造物架構）１２ａ：下流側端部、１２ｂ：上流側端部、１３：取付架台、１４：取付架台、１５：下面、１６、１６ａ：足場取付用架台、１７：張出デッキ（足場取り込み用架台）、１８、１９：Ｈ形鋼、２０、２１：Ｈ形鋼、２２、２３：垂直連結部材、２４：水平連結部材、２５、２６：水平補強部材、２７、２８：斜め補強部材、２９、３０：当接板、３１、３２：垂直部材、３３：水平連結部材、３４：中間垂直部材、３５、３６：当接板、３７、３８：斜め補強部材、３９：取付板、４０：ボルト、４１：シャックル、４２：滑車取付輪形金具、４３：滑車取付金具、４４：滑車、４５、４５ａ：取付板、４６：ワイヤロープ、４７：ベースキャリア、４７ａ：固定部、４７ｂ：キャリア部、４８〜５０：鋼管、５１、５２：転動ローラー、５３：足場吊り材、５４：クランプジョイント、５５：チャッキクランプ、５６：足場材、５７：手摺り用ロープ、５８：落下防止用金網、５９：蹴り止め足場材、６０：分割足場、６１：連結部材、６２：クランプジョイント、６３、６４：手動チェーンブロック、６５：地上、６６：中間支柱
【図１】
0004507474.tif 000002
【図２】
0004507474.tif 000003
【図３】
0004507474.tif 000004
【図４】
0004507474.tif 000005
【図５】
0004507474.tif 000006
【図６】
0004507474.tif 000007
【図７】
0004507474.tif 000008
【図８】
0004507474.tif 000009
【図９】
0004507474.tif 000010
【図１０】
0004507474.tif 000011
【図１１】
0004507474.tif 000012